(57)【要約】【課題】一足の靴を重ね置きでき、かつ簡単に靴の出し入ができる靴収納具を提供する。【解決手段】靴収納具(1)は、一対の靴を片方ずつ載置して上下に離して配置されるトレイ(11)(21)を有し、下段トレイ(11)の長さ方向の一端側に立設された支持柱(12)の上部に、上段トレイ(21)がその一端側で回動可能に連結され、かつ前記上段トレイ(21)の他端側が下方に傾斜する位置で保持されることを特徴とする。【選択図】  図１
2008018036.tif 000002
【特許請求の範囲】
【請求項１】
一対の靴を片方ずつ載置して上下に離して配置されるトレイを有し、下段トレイの長さ方向の一端側に立設された支持柱の上部に、上段トレイがその一端側で回動可能に連結され、かつ前記上段トレイの他端側が下方に傾斜する位置で保持されることを特徴とする靴収納具。
【請求項２】
前記下段トレイの左右両側縁部に支持柱が立設され、これらの支持柱がブリッジにより一体に連結されている請求項１に記載の靴収納具。
【請求項３】
前記上段トレイの側縁に下向きに延出するリブが設けられている請求項１または２に記載の靴収納具。
【請求項４】
前記下段トレイおよび上段トレイの上面に多数の突起が設けられ、かつこれらの突起が靴跡形状を呈するように配置されている請求項１〜３のいずれか１項に記載の靴収納具。
【発明の詳細な説明】
【技術分野】
【０００１】
この発明は、左右一対の靴を上下に重ね置きして収納するための靴収納具に関する。
【背景技術】
【０００２】
家庭で使用される一般的な下駄箱は上下方向に複数の棚板を取り付けたものでる。このような下駄箱では、左右一対の靴を上下に重ねると横に並べたときの略半分の占有スペースで済み、収納量が倍増して限られたスペース内に多数の靴を収納することができる。このため、一足の靴を重ね置きするための靴収納具が種々提案されている（特許文献１〜５）。
【０００３】
特許文献１〜３に記載された靴収納具は、靴を片方ずつ載置するトレイを有し、下段トレイの手前側周縁に立設された連結用支持部の上端から奥側に向かって上方に傾斜する上段トレイを延設したものである。この靴収納具を用いると、下段トレイにはつま先を手前側に、上段トレイにはつま先を奥側にして靴を載置することにより、甲の上方に生じるスペースを有効利用できる。
【０００４】
特許文献４に記載された靴収納具は、靴内に挿入する靴底形の下部ホルダーと上部ホルダーを保高部材で連結したＺ字形のホルダーであり、左右の靴はつま先を逆向きに向かい合わせにして重ねられる。
【０００５】
特許文献５に記載された靴収納具は、下側の靴を載置する靴基台の一端部に連結部材を立設し、この連結部材の先端に、上側の靴内に挿入する上部ホルダを固定または回動可能に取り付けたものである。そして、特許文献４の靴収納ホルダと同じく、左右の靴は、つま先を逆向きに向かい合わせにして重ねられる。
【特許文献１】特開２００４−２４３１３号公報
【特許文献２】実用新案登録第３１０４９６５号公報
【特許文献３】実用新案登録第３０９９２６１号公報
【特許文献４】実用新案登録第３０９１７０１号公報
【特許文献５】実用新案登録第３０９２６６９号公報
【発明の開示】
【発明が解決しようとする課題】
【０００６】
しかしながら、上述した靴収納具を用いて重ね置きした靴は、靴収納具とともに下駄箱から取出し、靴を取り出した後に靴収納具を下駄箱に戻さなければならず、靴の出し入れに手数がかかり使い勝手の悪いものであった。
【０００７】
さらに、特許文献１〜３の靴収納具においては、下段トレイに載置した靴は連結用支持部に隠れて見えず、上段トレイには踵を手前側にして載置されるためにつま先側が見えにくく、収納した靴を見分けにくいという欠点があった。この種の靴収納具が限られたスペースにより多くの靴を収納するために用いられることを勘案すると、下駄箱の棚板間の空間にゆとりがなく、奥側のつま先は殆ど見えない。しかも、下駄箱内に複数の靴収納具を並べて使用すると側面側からも靴が見えないため、踵だけを見て靴を選ばなけらばならない、という点でも使い勝手の悪いものであった。
【０００８】
また、特許文献４、５の靴収納具は、上側の靴が靴底を上にして収納されるため、靴底の汚れが下側の靴に落ちることがあった。また、靴底が見える収納状態は体裁の悪いものである。しかも、特許文献４の収納具は、靴内に保高部材を挿入するために載置安定性が悪いという欠点もあった。
【課題を解決するための手段】
【０００９】
本発明は、上述した背景技術に鑑み、一足の靴を重ね置きでき、かつ簡単に靴の出し入ができる靴収納具の提供を目的とする。
【００１０】
即ち、本発明の靴収納具は下記〔１〕〜〔４〕に記載された構成を有する。
【００１１】
〔１〕  一対の靴を片方ずつ載置して上下に離して配置されるトレイを有し、下段トレイの長さ方向の一端側に立設された支持柱の上部に、上段トレイがその一端側で回動可能に連結され、かつ前記上段トレイの他端側が下方に傾斜する位置で保持されることを特徴とする靴収納具。
【００１２】
〔２〕  前記下段トレイの左右両側縁部に支持柱が立設され、これらの支持柱がブリッジにより一体に連結されている前項１に記載の靴収納具。
【００１３】
〔３〕  前記上段トレイの側縁に下向きに延出するリブが設けられている前項１または２に記載の靴収納具。
【００１４】
〔４〕  前記下段トレイおよび上段トレイの上面に多数の突起が設けられ、かつこれらの突起が靴跡形状を呈するように配置されている前項１〜３のいずれか１項に記載の靴収納具。
【発明の効果】
【００１５】
〔１〕に記載の発明によれば、一対の靴を重ね置き収納するに際し、上段トレイの回動により靴収納具を移動させることなく靴を出し入れすることができる。また、下段トレイには靴のつま先が見える状態で収納され、上段トレイには踵が見える状態で収納されるため、収納されている靴を簡単に見分けることができる。
【００１６】
〔２〕に記載の発明によれば、下段トレイの有効面積を狭めることなく上段部材との当接面積を確保して支持安定性を高めることができる。
【００１７】
〔３〕に記載の発明によれば、上段トレイの撓みを防ぐことができる。
【００１８】
〔４〕に記載の発明によれば、載置した靴の位置ずれや滑落を防ぐとともに、靴の載置方向を示すことができる。
【発明を実施するための最良の形態】
【００１９】
図１〜５に、本発明の靴収納具の一実施形態を示す。
【００２０】
靴収納具(1)は、一対の靴を片方ずつ載置するトレイ(11)(21)を上下に有し、下段トレイ(11)を含む下段部材(10)と上段トレイ(21)を含む上段部材(20)の２つの部材を連結し、下段トレイ(11)の上方に所定間隔を隔てて上段トレイ(21)が重なるように配置したものである。また、前記下段部材(10)および上段部材(20)はいずれも樹脂製の一体成形品である。
【００２１】
前記靴収納具(1)は、長方形の下段トレイ(11)および上段トレイ(21)の短辺が奥と手前に位置するように使用される。このため、以下の説明において、各トレイ(11)(21)の長さ方向における一端側を奥側、他端側を手前側と称する。
【００２２】
前記下段部材(10)において、前記下段トレイ(11)の奥側の左右両側縁部に板状の支持柱(12)(12)が立設されている。前記支持柱(12)の下方部には奥側端部から他方の支持柱(12)側に延出するリブ(12a)が設けられ、支持柱(12)の補強がなされている。
【００２３】
前記支持柱(12)の奥側の上部コーナーは円弧状に形成され、その周辺部分は他方の支持柱(12)側に退入して連結用凹部(13)が形成されている。前記連結用凹部(13)の略中央に円形孔(14)が穿設され、さらにこの円形孔(14)からコーナーの周縁に通じるガイド溝(15)が形成されている。前記連結用凹部(13)の外周縁は、奥側が前記円形孔(14)と同心の円弧状となされ、手前側が下段トレイ(11)に平行な直線状となされている。さらに、両支持柱(12)(12)の連結用凹部(13)はその外周縁においてブリッジ(16)で一体に連結されている。このブリッジ(16)は、連結用凹部(13)の外周形状に倣って円弧部(16a)と平板部(16b)とで構成されている。また、前記支持柱(12)の連結用凹部(13)より手前側の部分は、上面が手前側に低くなるように傾斜し、上段トレイ(21)の回動を規制する回動規制部(17)となされている。
【００２４】
また、前記下段トレイ(11)の上面には、微細凸部による梨地調の靴跡(18)が形成され、さらにこの靴跡(18)内に滑落防止用の多数の突条(19)が平行に設けられている。換言すれば、多数の突条(19)が靴跡形状を呈するように配置されている。前記靴跡(18)は奥側が踵で手前側がつま先となるものであり、靴の載置方向を示している。
【００２５】
前記上段部材(20)において、上段トレイ(21)の奥側には、前記ブリッジ(16)の平板部(16a)に当接する平板部(22)が延設されている。前記平板部(22)は上段トレイ(21)に対して屈曲し、下段部材(10)との組み立て状態において上段トレイ(21)の手前側を下方に傾斜させるものとなされている。前記平板部(22)の屈曲角度（α）は、上段トレイ(21)の傾斜角度（β）に対し、β＝１８０°−αの関係にある。図示例の靴収納具(1)では、傾斜角度（β）が２１°、屈曲角度（α）が１５９°に設定されている。さらに、前記平板部(22)の両側縁から下向きに略半円形の連結用突片(23)(23)が延設され、連結用突片(23)の内面側中心に円形の軸部(24)が突設されている。
【００２６】
また、前記上段トレイ(21)の両側縁に下向きに延出する板状のリブ(25)が設けられ、トレイ(21)の撓みを防ぎトレイの補強がなされている。前記リブ(25)の奥側部分は側縁からの延出長さが奥側に向かって小さくなって側面視三角形に形成され、前記下段部材(20)の支柱部(12)の回動規制部(17)に当接する当接部(26)を構成している。また、当接部(26)の下端縁(26a)と前記連結用突片(23)の手前側周縁(23a)のなす角度は、前記支持柱(12)の回動規制部(17)と連結用凹部(13)の手前側壁面(13a)とのなす角度に対応している。
【００２７】
さらに、前記上段トレイ(21)の手前側周縁には、靴の滑落を防止するストッパー(27)が立設されている。また、下段トレイ(11)と同様に梨地調の靴跡(28)と滑落防止用の多数の突条(29)が形成されているが、靴跡(28)は下段トレイ(11)とは逆向きであり、手前側が踵で奥側がつま先である。
【００２８】
上述した下段部材(10)と上段部材(20)は、以下のようにして連結する。
【００２９】
図２に参照されるように、上段部材(20)の軸部(24)を下段部材(10)の連結用凹部(13)のガイド溝(15)に端部に合わせ、ガイド溝(15)内をスライドさせて円形孔(14)に嵌合させる。これにより、図３および図４に示すように、上段部材(20)は軸部(24)を中心として回動可能に下段部材(10)に連結される。上段部材(20)の手前側への回動は、当接部(26)の下端縁(26a)が回動規制部(17)に当接するとともに、連結用突片(23)の手前側周縁(23a)が連結用凹部(13)の手前側壁面(13a)に当接することにより規制され、上段トレイ(21)が水平面から２１°傾斜した位置で保持される。
【００３０】
上述した靴収納具(1)は、下駄箱等の収納用スペースに支持柱(12)を奥側にして載置して使用する。靴を収納する時は、上段トレイ(21)を上向きに回動させて下段トレイ(11)の手前側を大きく開き、一方の靴をつま先を手前側に載置する。次いで、上段トレイ(21)を下向きに回動させて支持柱(12)に当接させ、手前側に傾斜した上段トレイ(21)に他方の靴を踵を手前にして載置する。図５の収納状態に示すように、一対の靴を上下のトレイに逆向きに重ねて載置することにより、靴の甲の上方に空くスペースが有効に利用され、左右に並べたときの略半分のスペースに収納できる。また、靴を取り出す時は、上段トレイ(21)の靴を取出した後に、上段トレイ(21)を上向きに回動させて手前側を大きく開けば下段トレイ(11)の靴を簡単に取り出せる。靴収納具(1)は下駄箱等から移動させる必要はなく、上段トレイ(21)を回動させるだけで簡単に出し入れすることができる。また、靴収納具(1)の手前側には上下のトレイ(11)(21)を連結するための部材がなく、下段トレイ(11)に載置した靴のつま先が見えるので、多数の靴収納具(1)を並べて使用する場合でも靴を簡単に見分けることができる。靴はトレイ(11)(21)上に載置されるので、下駄箱内や下段トレイ(11)側の靴を汚すこともがなく、収納状態の体裁も良い。
【００３１】
また、前記上段トレイ(21)は下向きに傾斜しているが、載置された靴は手前側に設けられたストッパー(27)により滑落が防止される。前記ストッパー(27)は上段トレイ(11)を回動させるための把持部としても用いることができる。さらに、上段トレイ(21)の上面に設けられた突条(19)によっても靴の位置ずれや滑落が防止される。下段トレイ(11)は水平であるから上段トレイ(21)ほどに靴のずれは生じないが、多数の突条(19)(29)が靴跡形状を呈するように配置されることにより靴の載置方向を示し、載置方向の間違いを未然に防ぐことができる。なお、位置ずれまたは防止滑落防止用の突起は図示例の突条(19)(29)に限定されず、多数の小突起を斑点状に形成しても良い。なお、本発明においてストッパーおよび突起の形成は任意であり、突起を靴跡形状に配置することにも限定されない。
【００３２】
また、前記上段トレイ(21)の傾斜角度（β）は限定されず、支持柱(12)の高さ、靴の形状や大きさ、靴収納具(1)を載置スペースに応じて適宜設定すればよい。上段トレイ(21)を僅かでも傾斜させれば、下段側の靴の甲の上方スペースを上段側の靴の収納に利用できる。また、下段トレイと上段トレイの手前側において、靴のつま先が収まる高さが確保されていれば良い。
【００３３】
また、前記支持柱(12)を下段トレイ(11)の左右両側縁部に設けかつブリッジ(16)で一体に連結することで高い強度が得られ、上段部材(20)の支持安定性を高めることができる。支持柱(12)は板状に限定されないが、板状とすることで下段トレイ(11)の有効面積を狭めることなく上段部材(20)との当接面積を確保して支持安定性を高めることができる。なお、本発明は支持柱の設置位置をトレイの左右両側縁部に限定するものではなく、奥側短辺の縁に支持柱を設けることもできる。また、左右両側縁部に支持柱を設けた場合においてもブリッジの有無は任意である。
【産業上の利用可能性】
【００３４】
本発明の靴収納具は、下駄箱等の限られたスペースに靴を効率良く収納するために利用することができる。
【図面の簡単な説明】
【００３５】
【図１】本発明の靴収納具の一実施形態の全体を示す部分斜視図である。
【図２】図１の靴収納具において、下段トレイと上段トレイの連結部分を示す斜視図である。
【図３】図１の靴収納具において上段トレイの回動を示す斜視図である。
【図４】図３のIV−IV線断面図である。
【図５】図１の靴収納具の使用状態を示す斜視図である。
【符号の説明】
【００３６】
１…靴収納具
10…下段部材
11…下段トレイ
16…ブリッジ
18…靴跡（靴跡形状）
19、29…突条（突起）
20…上段部材
21…上段トレイ
25…リブ
【図１】
2008018036.tif 000003
【図２】
2008018036.tif 000004
【図３】
2008018036.tif 000005
【図４】
2008018036.tif 000006
【図５】
2008018036.tif 000007